(57)【要約】【課題】基アンカーの基腕部の延びる方向と先アンカーの先腕部の延びる方向とを任意の方向で固定できる複層キャスタブル用アンカーを提供する。【解決手段】このアンカーは固定ナット３を備えているために基アンカー１の基腕部１４の延びる方向に対して先アンカー２の先腕部２２の延びる方向を任意の方向となるように先アンカー２を基アンカー１に固定できる。これにより意図した方向に基腕部１４及び先腕部２２が延びるアンカーを複層キャスタブルに埋め込むことができる。【選択図】図１
0003192658.tif 000002
【実用新案登録請求の範囲】
【請求項１】
ナット部及びこれに螺号するボルト部のいずれか一方を一端に持ち他端が鉄皮等に固定される被固定部となる基軸部と、該基軸部の中央部分から左右に延びる基腕部とからなる基アンカーと、該ナット部及び該ボルト部の他方を一端に持ち他端側に左右に延びる先腕部を持つ先アンカーとからなる複層キャスタブル用アンカーであって、
前記ボルト部は回り止め用の固定ナットを有することを特徴とする複層キャスタブル用アンカー。
【請求項２】
前記腕部及び前記先腕部はＶ字形状あるいは一文字形状である請求項１に記載の複層キャスタブル用アンカー。
【請求項３】
前記基軸部の前記一端に位置する前記ナット部あるいは前記ボルト部はその先端側に前記基軸部から延びる前記基腕部の延びる方向を示す方向表示を持つ請求項１または２に記載の複層キャスタブル用アンカー。
【請求項４】
前記固定ナットは前記ボルト部に螺号した状態で仮り止めされている請求項１〜３に記載の複層キャスタブル用アンカー。
【考案の詳細な説明】
【技術分野】
【０００１】
本考案は灰溶融炉等の耐火装置のケーシングの内側面に一端が保持され、その内側面に次々に積層形成される複層の不定形耐火物層内に埋設されて使用される複層キャスタブル用アンカーに関する。
【背景技術】
【０００２】
従来の複層キャスタブル用アンカーは、袋ナットを一端に持ち他端が鉄皮等に固定される被固定部となる基軸部と該基軸部の中央部分から左右に延びる基腕部とからなる基アンカーと、該袋ナットに螺号されるボルトを一端に持ち他端側に左右に延びる先腕部を持つ先アンカーとからなるものであった。この複層キャスタブル用アンカーは、灰溶融炉等の耐火装置の内壁面に基アンカーの基軸部の他端を固定し、次いで、基軸部の一端の袋ナットの上端面が表出するように第一のキャスタブルを積層し、その後、表出した袋ナットに先アンカーのボルトを螺号して基アンカーと先アンカーとを一体化し、次いで、先アンカーを埋め込むように第ニのキャスタブルを積層して、使用されている。
【考案の概要】
【考案が解決しようとする課題】
【０００３】
従来の複層キャスタブル用アンカーの使用に当たり、基アンカーの基腕部の延びる方向と先アンカーの先腕部の延びる方向とを直交するように基アンカーと先アンカーとを固定する必要がある場合がある。通常、基アンカーの袋ナットに先アンカーのボルトを螺号し、ボルトの先が袋ナットの底に当たるようにして基アンカーと先アンカーとを強く固定している。この場合、基アンカーの基腕部の延びる方向と先アンカーの先腕部の延びる方向とは一定の方向に規制できず、基アンカーの基腕部の延びる方向と先アンカーの先腕部の延びる方向とを直交するように基アンカーと先アンカーとを固定することは困難であった。
【０００４】
本考案は係る困難を取り除くもので、基アンカーの基腕部の延びる方向と先アンカーの先腕部の延びる方向とを任意の方向で固定できる複層キャスタブル用アンカーを提供するものである。
【課題を解決するための手段】
【０００５】
本考案者は、複層キャスタブル用アンカーを構成する基アンカーと先アンカーの固定部となる袋ナットとボルトに固定用のナットを新たに組み込むことに思い至った。すなわち、固定用のナットを予めボルトに螺号した状態で、そのボルトを袋ナットに螺号し、ボルトの先端が袋ナットの底についてそれ以上螺号できない状態になる前の状態で、基アンカーの基腕部の延びる方向に対して、先アンカーの先腕部の延びる方向を目的とする方向まで螺号して先アンカーの螺号を止め、次いで固定用ナットを回して固定用ナットが袋ナットと当接固定するように固定用ナットを締めつけ、基アンカーと先アンカーとを強固に固定することを思い至り、本考案を完成したものである。
【０００６】
本考案の複層キャスタブル用アンカーは、ナット部及びこれに螺号するボルト部のいずれか一方を一端に持ち他端が鉄皮等に固定される被固定部となる基軸部と、該基軸部の中央部分から左右に延びる基腕部とからなる基アンカーと、該ナット部及び該ボルト部の他方を一端に持ち他端側に左右に延びる先腕部を持つ先アンカーとからなる複層キャスタブル用アンカーであって、前記ボルト部は回り止め用の固定ナットを有することを特徴とする。
【０００７】
本考案の複層キャスタブル用アンカーは基アンカーと先アンカーと固定ナットとからなる。基アンカーは、基軸部と基腕部とからなる。基軸部は一端にナット部及びボルト部の一方を持ち、他端に被固定部を持つ。被固定部は鉄皮等に溶接される先端部分でも鉄皮等に固定された保持金具に係合保持される係合部でもよい。基腕部はＶ字形状とか一文字形状とすることができる。先アンカーはナット部及びボルト部の他方を一端に持ち他端側に左右に延びる先腕部を持つ。先腕部は基アンカーの基腕部と同様にＶ字形状とか一文字形状とすることができる。なお、基アンカーの基腕部と先アンカーの先腕部は共に同一形状のものでも異なるものでもよい。
【０００８】
基アンカーの基腕部は通常第一層となるキャスタブル層に埋設され、先アンカーを固定するときには基アンカーの基腕部の延びる方向はわからない。そのため、基アンカーの基腕部の延びる方向を予め定めて鉄皮等に固定するとともにその方向を記憶していることが必要である。基腕部の延びる方向を容易に知ることができるようにするため、第一層のキャスタブル層の表面に表出するボルト部あるいは袋ナット部の先端側に基腕部の延びる方向を示す方向表示を設けることが好ましい。方向表示としては基腕部と同一方向に延びる溝、刻印、描いた線等を採用できる。
【０００９】
ボルト部は予め固定ナットを螺号しておくのが好ましい。固定用ナットは容易に回ってボルト部から脱落しないように仮止めしておくのが好ましい。仮止めとしてはボルト用のねじ溝が形成された軸方向長さを袋ナット部が螺号すると共にねじ溝の無い軸部に固定用ナットがねじ込むようにして固定用ナットを仮止めすることができる。
【００１０】
本考案の複層キャスタブル用アンカーは通常鉄等の金属で形成されるが、セラミックスで形成することもできる。
【考案の効果】
【００１１】
本考案の複層キャスタブル用アンカーは固定ナットを備えているために基アンカーの基腕部の延びる方向に対して先アンカーの先腕部の延びる方向を任意の方向となるように先アンカーを基アンカーに固定できる。これにより本考案の複層キャスタブル用アンカーは意図した方向に基腕部及び先腕部が延びるアンカーを複層キャスタブルに埋め込むことができる。
【００１２】
固定ナットをボルト部に予め螺号しかつその状態で仮り止めすることにより、基アンカーに先アンカーを固定する作業が容易となり、固定ナットの欠落を抑制できる。また、基アンカーの軸部の先端に位置するボルト部あるい袋ナット部の先端側に基腕部の延びる方向を示す方向表示を設けることにより基腕部がキャスタブルに埋まって目視できないときでも基腕部の延びる方向が解り、先アンカーの先腕部の延びる方向を目的の方向に容易に先アンカーを基アンカーに固定できる。
【図面の簡単な説明】
【００１３】
【図１】実施形態に示す複層キャスタブル用アンカーの全構成部品を示す展開図である。
【図２】実施形態に示す複層キャスタブル用アンカーの締結した状態を示す平面図である。
【図３】実施形態の先アンカーに固定ナットを仮止めした状態を示す平面図である。
【図４】実施形態の基アンカーの一端側より見た上面図である。
【考案を実施するための形態】
【００１４】
本考案の実施形態の複層キャスタブル用アンカーは、図１に示すように、基アンカー１と先アンカー２と固定ナット３とからなる。基アンカー１は鉄の棒材からなる基軸部１１とこの基軸部１１の一端に溶接されて形成されたナット部１２と基軸部１１の他端から直角状に延びる被固定部１３と基軸部１の軸方向の中央部分の側面に溶接された鉄の棒材をＶ字形状に折り曲げて形成した基腕部１４とからなる。ナット部１２の端面側には、図４に示すように、ねじ穴１２１を区画する筒状部１２２の端面でねじ穴１２１を中心とする両側に溝１２３，１２４が形成されている。これら２個の溝１２３，１２４はねじ穴１２１の軸心を通る１本の線上に位置している。図４に示されているように、基腕部１４の延びる方向と２個の溝１２３，１２４を通る線とは互いに平行する関係にある。すなわち２個の溝１２３，１２４を通る線の方向に基腕部１４が延びていることが解る。
【００１５】
先アンカー２は一端側の先端部がねじ加工されてボルト部２１とした鉄の棒の中央を少し曲げて形成した長い棒材と一端部を少し曲げた短い棒材を図２に示すように溶接して形成したものである。ボルト部２１の反対側のＶ字形状の部分が先腕部２２を構成する。
【００１６】
固定ナット３は通常のもので、先アンカー２のボルト部２１に螺号可能のものである。固定ナット３は、図３に示すように、先アンカー２のボルト部２１のねじ切りされている先端を超えてねじ締めを行い、ねじが切られていない部分に食い込む状態で固定ナット３はボルト部２１に螺号し仮り止めされている。これにより容易に固定ナット３が先アンカー２から抜け落ちないようになっている。
【００１７】
この実施態様の複層キャスタブル用アンカーは、その基アンカー１の被固定部１３を溶融炉等の耐火装置の鉄皮の内側面に溶接して固定する。次に、鉄皮の内側面にキャスタブルを施し、ナット部１２の先端面を残した状態で基アンカー１を埋め込み、１層目のキャスタブル層を形成する。この後、埋設された基アンカー１に先アンカー２を次のように固定する。まず、基アンカー１のナット部１２のキャスタブル層から表出しているナット部１２のねじ穴１２１に図３に示す固定ナット３が螺号し仮り止めされた先アンカー２のボルト部２１を十分な深さまでねじ込む。この状態で先アンカー２の先腕部２２の延びる方向をナット部１２の２個の溝１２３，１２４を結ぶ方向と直交するように先アンカーを回して止める。この直交を維持しつつ固定ナット３を下方に回し、固定ナット３をナット部１２の上面に硬く押し付ける。これにより先アンカー２は基アンカー１に硬く固着され、基アンカー１の基腕部１４の延びる方向と先アンカー２の先腕部２２の延びる方向とは互いに直交する方向となる。この後、第二のキャスタブルが積層され先アンカー２を埋設した状態となる。
【００１８】
２層のキャスタブル層は本実施態様の複層キャスタブル用アンカーで鉄皮に保持される。埋設されている基腕部１４と先腕部２２の延びる方向が互いに直交しているために、キャスタブル層とアンカーとの熱膨張率の差によりキャスタブル層内に発生する亀裂の伸長方向が異なる。このため、基腕部１４から延びる亀裂と先腕部２２から延びる亀裂が結びついて長い亀裂に成長する可能性が低い。このため、本実施態様のアンカーは長期間にわたりキャスタブル層を鉄皮に保持できる。
【符号の説明】
【００１９】
１・・基アンカー      ２・・先アンカー      ３・・固定ナット
１１・・基軸部      １２・・ナット部      １３・・被固定部
１４・・基腕部      ２１・・ボルト部      ２２・・先腕部
【図１】
0003192658.tif 000003
【図２】
0003192658.tif 000004
【図３】
0003192658.tif 000005
【図４】
0003192658.tif 000006
【手続補正書】
【提出日】平成26年6月19日(2014.6.19)
【手続補正１】
【補正対象書類名】実用新案登録請求の範囲
【補正対象項目名】全文
【補正方法】変更
【補正の内容】
【実用新案登録請求の範囲】
【請求項１】
ナット部及びこれに螺号するボルト部のいずれか一方を一端に持ち他端が鉄皮等に固定される被固定部となる基軸部と、該基軸部の中央部分から左右に延びる基腕部とからなる基アンカーと、該ナット部及び該ボルト部の他方を一端に持ち他端側に左右に延びる先腕部を持つ先アンカーとからなる複層キャスタブル用アンカーであって、
前記ボルト部は回り止め用の固定ナットを有することを特徴とする複層キャスタブル用アンカー。
【請求項２】
前記基腕部及び前記先腕部はＶ字形状あるいは一文字形状である請求項１に記載の複層キャスタブル用アンカー。
【請求項３】
前記基軸部の前記一端に位置する前記ナット部あるいは前記ボルト部はその先端側に前記基軸部から延びる前記基腕部の延びる方向を示す方向表示を持つ請求項１または２に記載の複層キャスタブル用アンカー。
【請求項４】
前記固定ナットは前記ボルト部に螺号した状態で仮り止めされている請求項１〜３のいずれか一項に記載の複層キャスタブル用アンカー。